(57)【要約】  ブラシネック（１１０，２１０）を有する、音波振動歯ブラシ用のブラシヘッド（１００，２００）であって、このときブラシネック（１１０，２１０）は、遠位領域に、歯をクリーニングするための、方向付け軸線（１３１，２３１）を備えたクリーニングエレメント（１３０，２３０）、特に複数のフィラメントを有している。さらにブラシネック（１１０，２１０）は、近位領域に、ブラシヘッド（１００，２００）を振動発生器（３００）と連結するためおよび該振動発生器（３００）の振動をクリーニングエレメント（１３０，２３０）に伝達するための、アダプタ軸線（１２１，２２１）を備えたアダプタ（１２０，２２０）を有している。アダプタ軸線（１２１，２２１）は、方向付け軸線（１３１，２３１）との間に、９０°よりも大きな角度、好ましくは９１°〜１２０°の角度、さらに好ましくは９５°〜１０５°の角度、特に好ましくは９８°〜１０２°の角度を成している。
2018527158.tif 000002
【特許請求の範囲】
【請求項１】
ブラシネック（１１０，２１０）を有する、音波振動歯ブラシ用のブラシヘッド（１００，２００）であって、前記ブラシネック（１１０，２１０）は、
ａ.  遠位領域に、歯をクリーニングするための、方向付け軸線（１３１，２３１）を備えたクリーニングエレメント（１３０，２３０）、特に複数のフィラメントと、
ｂ.  近位領域に、当該ブラシヘッド（１００，２００）を振動発生器（３００）と連結し且つ該振動発生器（３００）の振動を前記クリーニングエレメント（１３０，２３０）に伝達するアダプタ軸線（１２１，２２１）を備えたアダプタ（１２０，２２０）と、
を有するブラシヘッド（１００，２００）において、
ｃ.  前記アダプタ軸線（１２１，２２１）は、前記方向付け軸線（１３１，２３１）との間に、９０°よりも大きな角度、好ましくは９１°〜１２０°の角度、さらに好ましくは９５°〜１０５°の角度、特に好ましくは９８°〜１０２°の角度を成している
ことを特徴とする、音波振動歯ブラシ用のブラシヘッド（１００，２００）。
【請求項２】
前記ブラシネック（１１０，２１０）は、前記アダプタを備えた第１部分（１１１，２１１）と、前記クリーニングエレメント（１３０，２３０）を備えた第２部分（１１３，２１３）とを有し、前記第１部分（１１１，２１１）の第１の主軸線（１１２，２１２）と前記第２部分（１１３，２１３）の第２の主軸線（１１４，２１４）とが、１５０°〜１７９°の角度、好ましくは１６５°〜１７５°の角度、特に好ましくは１６８°〜１７２°の角度を成している、請求項１記載のブラシヘッド（１００，２００）。
【請求項３】
前記クリーニングエレメント（１３０，２３０）は、前記第２部分（１１３，２１３）の、形成された角度とは反対に位置する側に配置されている、請求項２記載のブラシヘッド（１００，２００）。
【請求項４】
前記クリーニングエレメント（１３０，２３０）は、複数のフィラメント束を有し、外側に位置するフィラメント束が、内側に位置しているフィラメント束を超えて突出している、請求項１から３までのいずれか１項記載のブラシヘッド（１００，２００）。
【請求項５】
前記ブラシネック（１１０，２１０）は、前側部分（１４０，２４０）と背側部分（１５０，２５０）とを有し、前記前側部分（１４０，２４０）は前記クリーニングエレメント（１３０，２３０）を有していて、前記前側部分（１４０，２４０）と前記背側部分（１５０，２５０）とは、注型によって互いに結合されている、請求項１から４までのいずれか１項記載のブラシヘッド（１００，２００）。
【請求項６】
前記前側部分（１４０，２４０）は、第１のプラスチックから成っていて、かつ前記背側部分（１５０，２５０）は、第２のプラスチックから成っており、該第２のプラスチックは、前記第１のプラスチックよりも低い硬度を有している、請求項５記載のブラシヘッド（１００，２００）。
【請求項７】
請求項１から６までのいずれか１項記載のブラシヘッド（１００，２００）を有する音波振動歯ブラシ。
【請求項８】
振動発生器（３００）が、アダプタ（１２０，２２０）内に導入するためのピン（３１０）を有し、該ピン（３１０）によって、前記振動発生器（３００）からクリーニングエレメント（１３０，２３０）に振動が伝達可能である、請求項７記載の音波振動歯ブラシ。
【請求項９】
前記アダプタ（１２０，２２０）および前記ピン（３１０）は、前記アダプタ（１２０，２２０）内への前記ピン（３１０）の導入時にアダプタ軸線（１２１，２２１）における回動防止部および固定部が得られるように形成されている、請求項８記載の音波振動歯ブラシ。
【請求項１０】
前記アダプタ軸線（１２１，２２１）における前記固定部は、前記アダプタ（１２０，２２０）の係止突起（１２２，２２２）によって形成されていて、該係止突起（１２２，２２２）は、前記ピン（３１０）の溝（３１２）内に係止可能である、請求項９記載の音波振動歯ブラシ。
【請求項１１】
前記回動防止部は、前記ピン（３１０）の側部の扁平面取り部（３１１）によって、かつ前記アダプタ（１２０，２２０）の相応の形状によって形成されている、請求項９または１０記載の音波振動歯ブラシ。
【請求項１２】
前記ピン（３１０）は、遠位端に、前記溝（３１２）に接続して前記扁平面取り部（３１１）を有している、請求項１０および１１記載の音波振動歯ブラシ。
【請求項１３】
特に音波振動歯ブラシ用のブラシヘッド（１００，２００）を製造する方法であって、特にクリーニングエレメント（１３０，２３０）用の収容部を備えた前側部分（１４０，２４０）と、背側部分（１５０，２５０）とを一緒に注型することを特徴とする方法。
【請求項１４】
前記背側部分（１５０，２５０）は前記前側部分（１４０，２４０）よりも低い硬度を有している、請求項１３記載の方法。
【発明の詳細な説明】
【技術分野】
【０００１】
本発明は、ブラシネックを有する、音波振動歯ブラシ用のブラシヘッドであって、このときブラシネックは、遠位領域に、歯をクリーニングするための、方向付け軸線を備えたクリーニングエレメント、特に複数のフィラメントと、近位領域に、ブラシヘッドを振動発生器と連結するためおよび該振動発生器の振動をクリーニングエレメントに伝達するためのアダプタと、を有するブラシヘッドに関する。さらに本発明は、ブラシヘッドを備えた音波振動歯ブラシ、およびブラシヘッドを製造する製造方法に関する。
【０００２】
従来の技術
音波振動歯ブラシというのは、歯をクリーニングすることができる器具を意味する。音波振動歯ブラシのブラシヘッドは、典型的には、磁気によってまたは圧電素子を介して駆動される。ブラシヘッドは、例えば約２５０〜３００ヘルツの周波数範囲において振動することができる。歯は、振動させられる剛毛によってクリーニングされる。
【０００３】
公知のブラシヘッドには、音波振動歯ブラシのクリーニングポテンシャルを十分に利用していないという欠点がある。
【０００４】
本発明の課題は、冒頭に述べた技術分野に属する、音波振動歯ブラシ用のブラシヘッドを改良して、特に良好なクリーニング効果を得ることができるブラシヘッドを提供することである。
【０００５】
この課題の解決策は、請求項１の特徴によって定義されている。本発明によれば、アダプタ軸線は、方向付け軸線との間に、９０°よりも大きな角度、好ましくは９１°〜１２０°の角度、さらに好ましくは９５°〜１０５°の角度、特に好ましくは９８°〜１０２°の角度を成している。
【０００６】
通常、音波振動歯ブラシのブラシヘッドは、屈曲部を有していない。従来、音波振動歯ブラシ用のブラシヘッドは、もっぱら屈曲部なしに形成され、これによって振動伝達方向がそれぞれ剛毛方向に対して直角に位置している。
【０００７】
驚くべきことに、本発明のように音波振動歯ブラシ用のブラシヘッドを従来の構造とは根本的に異ならせることによって、歯のクリーニングにおいて極めて効果的なブラシヘッドが得られることが判明した。
【０００８】
クリーニングエレメントの方向における（つまり前側に向かっての）屈曲は、特に下側の前歯の内側において、より良好な接近を可能にする。さらにこれによって、クリーニングエレメントもしくはフィラメントは、横方向に強く振動し、その結果、特に下顎において大幅により良好なクリーニングを行うことができる。さらに剛毛において適切に、さらにより大きな振幅が得られるので、これによって振動運動内においてより大きな運動でクリーニングを行うことができる。屈曲部が逆方向（背側）を向いている場合には、このような屈曲部は歯間空間における最適なクリーニングを可能にする。この構成においても、上に述べた効果が発生する。
【０００９】
振動は曲げられたクリーニングエレメントによって、改善されたクリーニング効果を音波振動歯ブラシによって得ることができるように最適に伝達されることが、明らかである。さらに、多くの実験において示されたことであるが、方向付け軸線とアダプタ軸線との間における最適な角度は、９１°〜１２０°の角度、好ましくは９５°〜１０５°の角度、特に好ましくは９８°〜１０２°の角度である。この角度は、ブラシネックにおける屈曲部としての典型的な値であるが、しかしながらこれらの値に制限されるものではない。
【００１０】
方向付け軸線は、本明細書ではクリーニングエレメントの軸線であると理解することができる。汎用の歯ブラシでは、方向付け軸線はフィラメントの軸線を示す。例えば湾曲した面に複数のフィラメントが配置されている場合には、方向付け軸線は、個々の軸線の平均値を表すものであると理解される。しかしながら他方において方向付け軸線は、歯間空間をクリーニングするためのただ１つの剛毛では、その回りにフィラメントが固定されているワイヤ方向を示すこともできる。
【００１１】
クリーニングエレメントは、９１°〜１２０°の角度を有することも、補角として６０°〜８９°の角度を有することもできる。クリーニングエレメントが前側に向かって（９０°よりも小さな角度）屈曲されているか、または後ろ側に向かって（９０°よりも大きな角度）屈曲されているかは、クリーニングエレメントの形式に関連している。例えば複数のフィラメント束を備えたブラシヘッドが使用される場合には、屈曲部は、好ましくは９０°よりも小さな角度を有し、これによってクリーニングエレメントは内側に向かって、ブラシネックに向かう方向に曲げられており、これによって理想的に下側の前歯の内側への到達が可能になる。
【００１２】
しかしながら、ただ１つのフィラメント束が、例えば歯間空間をクリーニングするために使用される場合には、屈曲部は、好ましくは９０°よりも大きな角度を有し、これによってクリーニングエレメントは、後ろ側に向かって、ブラシネックから離れる方向に屈曲されている。この配置形態は、歯頚部もしくは歯肉の輪郭に沿ったクリーニングのために特に人間工学的である。したがって好ましくは、クリーニングエレメントは、第２部分の、形成された角度とは反対に位置する側に配置されている。このようになっていると、屈曲部は後ろに向くことになり、その結果クリーニングエレメントは、第１部分から離れる方向を向く。
【００１３】
実験によれば、屈曲方向とは無関係に１００°または１０１°の角度が特に最適であることが示された。良好な効果は、９５°の角度を上回る角度から発生し、極めて良好な効果は、約９８°の角度を上回る角度から得られる。
【００１４】
好ましくは、ブラシネックは、アダプタを備えた第１部分と、クリーニングエレメントを備えた第２部分とを有し、このとき第１部分の第１の主軸線と第２部分の第２の主軸線とが、１５０°〜１７９°の角度、好ましくは１６５°〜１７５°の角度、特に好ましくは１６９°〜１７１°の角度を成している。
【００１５】
変化形態では、ブラシネックは、アダプタの作用線を直接反映していない別の形状を有することも可能である。当業者には、多数のこのような形状が知られている。
【００１６】
特に好適な実施形態では、第２の主軸線と方向付け軸線とは互いに直角に方向付けられている。しかしながらまた変化形態では、両方の軸線の間における他の方向付けも可能である。
【００１７】
好ましくは、クリーニングエレメントは、複数のフィラメント束を有し、このとき外側に位置するフィラメント束が、内側に位置しているフィラメント束を超えて突出している。このように構成されていると、クリーニングエレメントは好適に凹面状の表面を有することになる。このような形態によって特に良好なクリーニング効果を得ることができることが、実験において示されている。
【００１８】
しかしながらまた変化形態では、フィラメント束の他の配置形態が設けられていてもよい。特にまた、必ずしも凹面状の表面を有する必要がないフィラメント束が設けられていてもよい。
【００１９】
好ましくは、ブラシネックは、前側部分と背側部分とを有し、このとき前側部分はクリーニングエレメントを有していて、このとき前側部分と背側部分とは、注型によって互いに結合されている。これによって特に安価なブラシヘッドが得られる。前側部分および背側部分用の材料の選択によって、ブラシヘッドの振動特性を、歯の最適なクリーニングが得られるように調節することができる。
【００２０】
変化形態では、ブラシヘッドは一体に製造されてもよい。さらに前側部分と背側部分とを他の形式で、例えば接着、超音波溶接のような溶接、クリップ結合のような機械的な結合技術またはこれに類した方法によって、互いに結合することも可能である。さらにまたブラシネックは、２つの部分よりも多くの部分から成っていてもよい。
【００２１】
好ましくは、前側部分は、第１のプラスチックから成っていて、かつ背側部分は、第２のプラスチックから成っており、このとき第２のプラスチックは、第１のプラスチックよりも低い硬度を有している。ブラシネックのこのような構成によって、特に最適な振動伝達が得られる。
【００２２】
変化形態では、前側部分および背側部分のために、他の材料、例えば、例えばアルミニウムのような金属またはこれに類した材料を使用することも可能である。同様に原則的には、第１のプラスチックが第２のプラスチックよりも低い硬度を有することも可能である。
【００２３】
好ましくは、音波振動歯ブラシは、アダプタ内に導入するためのピンを備えた振動発生器を有しており、このときピンによって、振動発生器からクリーニングエレメントに振動が伝達可能である。これによって、特に効果的な振動伝達が達成される。振動発生器は、例えば１つまたは複数の圧電素子によってまたは電磁石によって実現することができる。
【００２４】
変化形態では、ブラシヘッドがピンを有することも可能である。さらに当業者には、振動のための他の伝達手段も知られている。特に、ピンの代わりにバヨネットジョイント、または当業者に知られている他の結合技術を使用することも可能である。
【００２５】
好ましくは、アダプタおよびピンは、アダプタ内へのピンの導入時にアダプタ軸線における回動防止部および固定部が得られるように形成されている。このように構成されていると、ピンとアダプタとは、単に振動を伝達するためにだけ働くのではなく、振動発生器におけるブラシヘッドの取付けのためにも働く。これによってさらに、別体の固定手段を設ける必要がないので、特に単純な構造を有していて、ひいては安価な音波振動歯ブラシが得られる。
【００２６】
変化形態では、回動防止部を、アダプタの領域におけるブラシヘッドの外輪郭によって得ることも可能である。そのために、この外輪郭は、振動発生器のハウジングの相応に成形された凹部内に収容されていることができる。さらにブラシヘッドは、ロック装置を備えたねじ締結部を介して、ハウジングに結合可能であってもよい。
【００２７】
好ましくは、アダプタ軸線における固定部は、アダプタの係止突起によって形成されていて、該係止突起は、ピンの溝内に係止可能である。このように構成されていると、ピンにおけるブラシヘッドの特に簡単な軸方向固定が達成される。そのために係止突起は、例えば、側部にスリットを備えたスリーブの内側に形成されていてもよい。
【００２８】
択一的にブラシヘッドは、係止突起を介して、振動発生器のハウジングにおいて係止可能であってもよい。さらに係止突起の代わりに、アダプタ軸線における固定を達成するために、摩擦結合部が設けられていてもよい。しかしながら摩擦結合部は、音波振動歯ブラシの運転時にブラシヘッドがピンから解離され得ないように形成されていなくてはならない。
【００２９】
好ましくは、回動防止部は、ピンの側部の扁平面取り部によって、かつアダプタの相応の形状によって形成されている。このような構成によっても、ピンにおけるブラシヘッドの特に単純かつ安価な固定部が得られる。
【００３０】
変化形態では、ブラシヘッドと音波振動歯ブラシのハウジングとの間における回動防止部を得ることも可能である。
【００３１】
好ましくは、ピンは、遠位端に、溝に接続して扁平面取り部を有している。
【００３２】
変化形態では、扁平面取り部が中央領域においてピンの側部に形成されていてもよい。このように構成されていると、扁平面取り部は、回動防止部としても係止突起のための収容部としても働くことができる。
【００３３】
特に音波振動歯ブラシ用のブラシヘッドを製造する方法では、クリーニングエレメント用の収容部を備えた前側部分と、背側部分とが一緒に注型される。このとき注型という概念は、前側部分と背側部分との境界面がこれらの部分の成形中に融着することを示している。そのために両方の部分を金型において個々に製造し、その後で一緒にプレスすることが可能である。
【００３４】
特に好適な変化形態では、したがってブラシネックは１回の方法ステップで製造され、その結果製造コストを安価に保つことができる。ブラシネックの製造後には、ブラシヘッドを完成させるために、単にクリーニングエレメントをブラシヘッドに固定することだけが必要である。これによって特にコストパフォーマンスの良い製造方法が得られる。
【００３５】
このような製造方法のためには任意に多くの択一的な方法が存在することは、当業者にとって明らかである。例えば両方の部分（前側部分および背側部分）を別個に製造し、次いで接着または溶接することも可能である。
【００３６】
好ましくは、背側部分は前側部分よりも低い硬度を有している。このように構成されていると、振動特性を最適なクリーニング効果のために適合させることができる。好ましくは、前側部分および背側部分は、それぞれ類似の結晶化度を有するプラスチックから形成されている。このようにすると、製造プロセスにおいて、両方の部分の最適な結合を達成することができる。
【００３７】
変化形態では、背面部分と前側部分とはまた同じ硬度を、しかしながら例えば異なった弾性のような、他の物理的な相違を有することができる。
【００３８】
音波振動歯ブラシの運転中には、２０００〜８０００ヘルツの周波数（１秒当たりの振動数）が提案されている。しかしながらまた周波数は、それよりも高く、例えば１０ｋＨｚ、５０ｋＨｚであっても、またはそれよりも低く、例えば２００Ｈｚまたは５００Ｈｚであってもよい。
【００３９】
以下における詳細な説明および請求項における記載全体から、本発明の別の有利な実施形態および特徴の組合せが得られる。
【図面の簡単な説明】
【００４０】
【図１ａ】前側に向かって傾けられたヘッド部分を有する第１実施形態のブラシヘッドを、長手方向軸線に沿って断面して示す概略図である。
【図１ｂ】図１ａに示されたブラシヘッドの側面図である。
【図２ａ】後ろ側に向かって傾けられたヘッド部分を有する第２実施形態のブラシヘッドを、長手方向軸線に沿って断面して示す概略図である。
【図２ｂ】図２ａに示されたブラシヘッドの側面図である。
【図３】長手方向においてアダプタの側から第１実施形態を見て示す概略図である。
【図４】長手方向軸線に沿ってアダプタを断面して示す概略図である。
【図５ａ】ピンを備えた振動発生器を概略的に示す側面図である。
【図５ｂ】図５ａに対して長手方向軸線を中心にして９０°だけ回転させて振動発生器を示す側面図である。
【００４１】
基本的に、図面において同じ部分には同じ符号が付されている。
【００４２】
発明の実施の形態
図１ａには、前側に向かって傾けられたヘッド部分を備えた第１実施形態のブラシヘッド１００が、長手方向軸線に沿った断面図で概略的に示されている。図１ｂには、図１ａに示されたブラシヘッド１００が側面図で示されている。
【００４３】
ブラシヘッド１００は、ブラシネック１１０を有しており、このブラシネック１１０には、遠位にクリーニングエレメント１３０、本実施形態では複数のフィラメント束が配置されていて、かつ近位に、振動発生器３００にもしくはベース器具に連結するためのアダプタ１２０が配置されている。ベース器具（図示せず）は、このとき典型的には駆動装置、すなわち振動発生器、および例えば蓄電池または電源装置のようなエネルギ供給装置を有しており、かつさらに音波振動歯ブラシ用のグリップとして働く。
【００４４】
ブラシヘッド１００は、アダプタ１２０を備えた第１部分１１１とクリーニングエレメントを備えた第２部分１１３とに分割されている。第１部分１１１および第２部分１１３はそれぞれ、主軸線１１２もしくは１１４を有している。アダプタは、本実施形態では第１の主軸線１１２と合致するアダプタ軸線１２１を有している。アダプタ軸線１２１は、ブラシヘッド１００と振動発生器３００との間における連結方向を示す。アダプタ１２０の領域においてブラシネック１１０は、近位端の方向にほぼ円錐形に拡がっている。第２の主軸線１１４は、本実施形態では第１の主軸線１１２に対して１０°の角度だけ屈曲されており、その結果クリーニングエレメント１３０は、僅かに前側に向かって、クリーニングエレメント１３０の方向に屈曲されている。しかしながら角度は、異なった値に選択されていてもよく、例えば角度は、８°〜１２°の値を有することができる。クリーニングエレメント１３０は、方向付け軸線（Ausrichtungsachse）１３１を有しており、この方向付け軸線１３１は、本実施形態ではフィラメントの平均的な方向と一致している。この方向付け軸線１３１は、相応にクリーニングエレメント１３０の側において８０°の角度で第１の主軸線と交差している。これによって前側の門歯の内側を特に良好にクリーニングすることができる。
【００４５】
ブラシネック１１０は、主として、２つの異なった材料から成っている。一方ではブラシネック１１０は、クリーニングエレメント１３０が固定されている前側部分１４０を有している。この前側部分は、アダプタ１２０からブラシヘッド１００の遠位端まで延びている。アダプタ１２０もまた、本実施形態では前側部分１４０の一部である。さらにブラシネック１１０は背側部分１５０を有しており、この背側部分１５０は、背側を、つまりクリーニングエレメント１３０とは反対に位置する側を覆っている。背側部分１５０は、前側部分１４０よりも柔らかい材料から成っている。この構成によって、ブラシネック１１０の振動特性、ひいてはクリーニングエレメント１３０の振動特性を最適化することができる。製造時においてブラシネックは、好ましくは一回の作業ステップで製造される。
【００４６】
アダプタ１２０は、振動発生器３００のピン３１０を収容するために働く。このピン３１０については、図４を参照しながら詳しく説明する（下記参照）。
【００４７】
図２ａには、後ろ側に向かって傾けられたヘッド部分を備えた第２実施形態のブラシヘッド２００が、長手方向軸線に沿った断面図で概略的に示されている。さらに図２ｂには、図２ａに示されたブラシヘッド２００が側面図で示されている。
【００４８】
ブラシヘッド２００は、主としてクリーニングエレメント２３０の構成、およびブラシヘッド１００とは逆方向に１０°の角度だけ傾けられた屈曲部の構成によって、ブラシヘッド１００とは異なっている。
【００４９】
ブラシヘッド２００は、ブラシネック２１０を有しており、このブラシネック２１０には、遠位にクリーニングエレメント２３０が、本実施形態では、側部に配置された剛毛を備えたワイヤが配置されていて、かつ近位に、振動発生器３００にもしくはベース器具に連結するためのアダプタ２２０（上記参照）が配置されている。
【００５０】
ブラシヘッド２００は、アダプタ２２０を備えた第１部分２１１と、クリーニングエレメント２３０を備えた第２部分２１３とに分割されている。第１部分２１１および第２部分２１３はそれぞれ、主軸線２１２もしくは２１４を有している。アダプタ２２０は、ここでも第１の主軸線２１２と合致するアダプタ軸線２２１を有している。アダプタ軸線１２１はまた、ブラシヘッド２００と振動発生器３００との間における連結方向をも示す。アダプタ２２０の領域においてブラシネック２１０は、近位端の方向にほぼ円錐形に拡がっている。第２の主軸線２１４は、本実施形態では第１の主軸線２１２に対して１０°の角度だけ屈曲されており、その結果クリーニングエレメント２３０は、僅かに後ろ側に向かって、クリーニングエレメント２３０の方向とは逆方向に屈曲されている。しかしながら角度は、異なった値に選択されていてもよく、例えば角度は、８°〜１２°の値を有することができる。クリーニングエレメント２３０は、方向付け軸線２３１を有しており、この方向付け軸線２３１は、本実施形態ではワイヤの方向と一致している。この方向付け軸線２３１は、相応にクリーニングエレメント２３０の側において１００°の角度で第１の主軸線２１２と交差している。これによって前側の門歯の内側を特に良好にクリーニングすることができる。
【００５１】
ブラシネック２１０は、ここでも主として、２つの異なった材料から成っている（上記参照）。しかしながらアダプタ２２０は、アダプタ１２０と同一に形成されている。
【００５２】
最後に述べると、ブラシネック２１０の、クリーニングエレメントとは反対の側に、ブラシネックに沿って長手方向において移動可能な閉鎖エレメントが形成されており、これによって交換可能なクリーニングエレメント２３０を、ブラシネック２１０に固定することができる。この閉鎖エレメントは、図２ｂにおいて良好に見ることができる。
【００５３】
図３には、長手方向においてアダプタの側から見た、ブラシネック１１０の第１実施形態が概略的に示されている。この図３から分かるように、アダプタ１２０はほぼ円筒形に形成されている。アダプタ１２０は、４つの係止突起１２２を有しており、これらの係止突起１２２はそれぞれ、スリット１２３によって中断されている。
【００５４】
図４には、アダプタ１２０が、長手方向軸線に沿った断面図で概略的に示されている。
【００５５】
アダプタ１２０は、扁平面取り部３１１と溝３１２とを備えたピン３１０（図５ａ，図５ｂ参照）を収容するために働く。そのためにアダプタ１２０は、ほぼ円筒形の収容部を有しており、この収容部は、収容部底に、側部の扁平面取り部と係止突起１２２とを有している。収容部は、ほぼ円筒周壁の形状を有しており、この円筒周壁は、開口方向に少なくとも１つの側部のスリット１２３と、内方に向かって突出する係止突起１２３とを有している。スリット１２３によって、縁部領域における収容部は、ひいては係止突起１２３はばね弾性的に形成されている。収容部底における側部の扁平面取り部は、ピン３１０の、側部において扁平に面取りされた端部領域を収容するために働く。最後にアダプタ１２０は、ピン３１０が追加的に摩擦結合部によって保持され得るように形成されており、その結果振動伝達が損なわれることはない。
【００５６】
図５ａには、ピン３１０を備えた振動発生器３００が、側面図で概略的に示されている。図５ｂは、図５ａに示された振動発生器３００を示す図であるが、しかしながらここでは長手方向軸線を中心にして９０°の角度だけ回転させられている。
【００５７】
振動発生器３００は、好ましくは、圧電素子または磁石に基づいており、かつ振動もしくは超音波振動を、振動発生器３００に不動に結合されたピン３１０に伝達する。ブラシヘッド１００もしくは２００は、好ましくは単にこのピン３１０だけを介して、振動発生器３００に結合される。遠位領域にピン３１０は、扁平面取り部３１１を有している。さらにピン３１０は、係止突起１２２もしくは２２２を収容するための溝３１２を有している。ピン３１０およびアダプタ１２０もしくは２２０は、ピン３１０が扁平面取り部３１１によって回動防止されて、かつ溝３１２もしくは係止突起１２２，２２２によって軸方向において固定されて保持され得るように形成されている。さらにピン３１０は、また追加的に摩擦結合部を介してアダプタ１２０，２２０において保持されていてもよく、このようになっていると、振動伝達が損なわれることはない。
【００５８】
振動発生器３００は、本実施形態では略示されているだけである。典型的には振動発生器３００は、ハウジング内に設けられており、このハウジングは、使用者によって人間工学的に把持することができ、かつアキュムレータ、電源装置、制御機器、使用者用の表示装置等のような別の部材を有することができる。
【００５９】
確認のためにまとめておくと、本発明によれば、特に良好でかつ効果的な歯のクリーニングを可能にする、音波振動歯ブラシ用のブラシヘッドが提供される。
【図１ａ】
2018527158.tif 000003
【図１ｂ】
2018527158.tif 000004
【図２ａ】
2018527158.tif 000005
【図２ｂ】
2018527158.tif 000006
【図３】
2018527158.tif 000007
【図４】
2018527158.tif 000008
【図５ａ】
2018527158.tif 000009
【図５ｂ】
2018527158.tif 000010
【国際調査報告】
2018527158.tif 000011
2018527158.tif 000012
2018527158.tif 000013
2018527158.tif 000014
2018527158.tif 000015
2018527158.tif 000016
2018527158.tif 000017
2018527158.tif 000018
2018527158.tif 000019
2018527158.tif 000020
2018527158.tif 000021
2018527158.tif 000022